(57)【特許請求の範囲】
【請求項１】
互いに対向配置された前後一対の基板と、
前記一対の基板の間に配された電気光学層と、
反射層が後側基板に形成された反射部と、該反射層が形成されない透過部とからなる複数の画素を有し、
着色層と透明層の積層からなるカラーフィルタを前側基板に備え、
前記透過部より前記反射部の方が該着色層が薄く、
透過部と反射部の間で生じた該着色層の段差を埋めるように前記透明層が反射部に形成されている表示装置。
【請求項２】
前記透明層はその厚みを調整して該反射部の光学濃度を調整する請求項１記載の表示装置。
【請求項３】
前記透明層は該前側基板の内面に形成された透明樹脂膜からなり、前記着色層は該透明樹脂膜に重ねて形成された着色膜からなる請求項１記載の表示装置。
【請求項４】
前記透明層は該前側基板の透明な内面を選択的にエッチングして形成されたものであり、前記着色層は該エッチングされた内面に形成された着色膜である請求項１記載の表示装置。
【請求項５】
前記電気光学層は複屈折性を有する液晶層からなり、その厚みは透過部が反射部の二倍に設定されている請求項１記載の表示装置。
【請求項６】
前記一対の基板の一方には画素間で共通に形成された共通電極があり、前記一対の基板の他方には画素毎に分離した画素電極があり、前記一対の基板の他方には画素電極を駆動する能動素子が形成されている請求項１記載の表示装置。
【請求項７】
前記反射層は画素毎に開口を有しており、各画素を開口内の透過部と開口外の反射部とに平面分割している請求項１記載の表示装置。
【請求項８】
互いに対向配置された前後一対の基板と、
前記一対の基板の間に配された電気光学層と、
反射層が後側基板に形成された反射部と、該反射層が形成されない透過部とからなる複数の画素を有し、
着色層と透明層の積層からなるカラーフィルタを前側基板に備える表示装置の製造方法において、
前記着色層は該透過部より反射部の方を薄く形成し、
透過部と反射部の間で生じた該着色層の段差を埋めるように前記透明層を反射部に形成する表示装置の製造方法。
【請求項９】
前記透明層はその厚みを調整して該反射部の光学濃度を調整する請求項８記載の表示装置の製造方法。
【請求項１０】
前記透明層は該前側基板の内面に形成された透明樹脂膜を用い、前記着色層は該透明樹脂膜に重ねて形成された着色膜を用いる請求項８記載の表示装置の製造方法。
【請求項１１】
前記透明層は該前側基板の透明な内面を選択的にエッチングして形成し、前記着色層は該エッチングされた内面に着色膜を成膜して形成する請求項８記載の表示装置の製造方法。
【請求項１２】
前記電気光学層は複屈折性を有する液晶層を用い、その厚みは透過部が反射部の二倍に設定する請求項８記載の表示装置の製造方法。
【請求項１３】
前記一対の基板の一方には画素間で共通に形成された共通電極があり、前記一対の基板の他方には画素毎に分離した画素電極があり、前記一対の基板の他方には画素電極を駆動する能動素子を形成する請求項８記載の表示装置の製造方法。
【請求項１４】
画素毎に前記反射層に開口を形成して、各画素を開口内の透過部と開口外の反射部とに平面分割する請求項８記載の表示装置の製造方法。
【請求項１５】
画素毎に別々に着色して基板に形成され、各画素内で光が一回のみ通過する透過光用領域と、一回通過した光が反射して戻り往復で二回通過する反射光用領域とに平面分割されており、着色層と透明層を重ねた積層構造を有し、
前記着色層は該透過光用領域より反射光用領域の方が薄く形成されており、
前記透明層は透過光用領域と反射光用領域との間で生じた着色層の段差を埋めるように反射光用領域に形成されているカラーフィルタ。
【請求項１６】
前記透明層はその厚みを調整して該反射光用領域の光学濃度を調整する請求項１５記載のカラーフィルタ。
【請求項１７】
前記透明層は基板の一面に形成された透明樹脂膜からなり、前記着色層は該透明樹脂膜に重ねて形成された着色膜からなる請求項１５記載のカラーフィルタ。
【請求項１８】
前記透明層は基板の透明な一面を選択的にエッチングして形成されたものであり、前記着色層は該エッチングされた一面に形成された着色膜である請求項１５記載のカラーフィルタ。
【発明の詳細な説明】
【０００１】
【発明の属する技術分野】
この発明は、一部開口を形成した反射層（以下、半透過反射層と云う場合がある）を背面に備えた、所謂ハイブリッド型の表示装置に関する。
【０００２】
【従来の技術】
ハイブリッド型の表示装置は、例えば特開平１１−５２３６６号公報や特開平１１−１８３８９２号公報に開示されている。ハイブリッド型液晶表示装置は、充分な明るさの外光（自然光や室内照明光等）が得られるときは前面側から入射する外光を背面側の半透過反射層で反射させて外光を利用する反射型表示を行ない、充分な明るさの外光が得られないときは、液晶表示装置の背面側に配置されたバックライトの光を利用する透過型表示を行なう。このハイブリッド型液晶表示装置は、対向配置された前後一対の基板と、その一方の基板の内面に設けられた電極と、他方の基板の内面に設けられた電極と、前記一対の基板間に設けられた液晶層と、背面側に設けられた半透過反射層とからなっている。
【０００３】
液晶表示装置には、アクティブマトリクス方式や単純マトリクス方式など種々の方式のものがある。例えばアクティブマトリクス方式の液晶表示装置は、その一方の基板の内面に、マトリクス状に配列する複数の画素電極と、これらの画素電極にそれぞれ接続された複数の能動素子と、前記能動素子に信号を供給する信号ラインとを設け、他方の基板の内面に、前記複数の画素電極に対向する対向電極を設けて、前記複数の画素電極と前記対向電極とが互いに対向する領域をそれぞれ画素とした構成となっている。
【０００４】
さらに、液晶表示装置には、白黒画像を表示するものと、カラー画像を表示するものとがある。フルカラー画像等の多色カラー画像を表示する液晶表示装置では、その前側基板の内面に、画素電極と対向電極とが互いに対向する複数の画素にそれぞれ対応させて、透過波長帯域が異なる複数の色の着色膜を設けている。この着色膜は一般に、赤、緑、青のカラーフィルタであり、各色のカラーフィルタはそれぞれ、画素を透過する光の全てを色純度の良い着色光として出射するために、画素とほぼ同じ面積に形成されている。
【０００５】
【発明が解決しようとする課題】
しかし、従来のカラーフィルタを備えたハイブリッド型液晶表示装置は、外光を利用して反射型表示を行なうときの表示が非常に暗いという問題をもっている。これは主に、カラーフィルタでの光の吸収によるものである。カラーフィルタは、可視光帯域のうちのカラーフィルタの色に対応する波長帯域の光を透過させ、他の波長帯域の光を吸収するため、カラーフィルタを透過した着色光の強度が、入射光の強度に比べてかなり低くなる。
【０００６】
そして、ハイブリッド型の液晶表示装置の場合、バックライトの光を利用して透過型表示を行なうときの表示の明るさの低下は、バックライトの輝度を高くすることによって補償することができるが、外光を利用して反射型表示を行なうときは、カラーフィルタでの光の吸収を補うほどの高輝度の入射光は得られない。また、液晶表示装置にその前方から入射した光が、背面側の半透過反射層で反射されて前方に出射するまでの間にカラーフィルタを二度通るため、光の吸収がさらに大きくなって、表示がかなり暗くなってしまう。
【０００７】
このため、従来から、カラーフィルタの膜厚を薄くすることにより、カラーフィルタでの光の吸収を少なくして表示を明るくすることが考えられているが、このようにカラーフィルタの膜厚を薄くしたのでは、その吸収波長帯域の光の透過率も上るため、色純度の良い着色光が得られなくなって、表示されるカラー画像の色範囲が狭くなる。
【０００８】
透過表示の場合の色純度を維持しつつ反射表示の場合の明度（反射率）を改善したハイブリッド型の表示装置が提案されており、図５にその概略を示す。（Ａ）は一画素分の平面形状を表わしている。図示する様に、画素ＰＸＬは半透過反射層の開口に対応する透過部Ｔと、開口以外の反射部Ｒとに平面分割されている。カラーフィルタＣＦは透過部Ｔを全面的にカバーしているが、反射部Ｒについては部分的にしかカバーしていない。即ち、矩形を有する画素ＰＸＬに対して、カラーフィルタＣＦは図示の様に六角形にパタニングされており、反射部Ｒの各角部にはカラーフィルタＣＦがかかっていない。これにより、透過部Ｔは十分な色純度が得られる一方、反射部ＲはカラーフィルタＣＦで着色された光と無着色の光が混合されたものとなり、明度が高くなる。
【０００９】
（Ｂ）は、（Ａ）に示したＸ−Ｘ線の断面図である。前側基板１の内面には六角形状にパタニングされたカラーフィルタＣＦが形成されている。後側基板２の内面には開口Ｈを有する半透過型の反射層８が形成されている。両基板１，２の間には電気光学層として液晶層３が保持されている。半透過反射層８の開口Ｈに対応する部分が画素の透過部Ｔとなり、それ以外の部分が反射部Ｒとなる。透過部Ｔについては、後側基板２から入射したバックライトの光がカラーフィルタＣＦを一回通過して、前側基板１の正面に位置する観察者に到達する。反射部Ｒについては、観察者側から入射した光が反射層８で反射して、再び観察者側に戻る。この時、入射光の一部はカラーフィルタＣＦが切り欠かれた部分を通過し、反射層８で反射された後、カラーフィルタＣＦが存在する部分を通過する。この時には、バックライトと同じく外光もカラーフィルタＣＦを一回のみ通過するので、吸収はそれ程強くなく、明度が高くなり所望の反射率が得られる。
【００１０】
しかし、カラーフィルタＣＦを図示の様に六角形状にパタニングすると、画素ＰＸＬの矩形境界とは異なる為、カラーフィルタＣＦの切り欠かれた部分が場合によっては画素欠陥として認識されてしまうことがある。又、カラーフィルタＣＦを六角形の様な異形にパタニングすると、形状不良の割合が増加するという課題がある。
【００１１】
【課題を解決するための手段】
上述した従来の技術の課題を解決する為に以下の手段を講じた。即ち、本発明にかかる表示装置は、基本的な構成として、互いに対向配置された前後一対の基板と、前記一対の基板の間に配された電気光学層と、反射層が後側基板に形成された反射部と、該反射層が形成されない透過部とからなる複数の画素を有し、着色層と透明層の積層からなるカラーフィルタを前側基板に備え、前記透過部より前記反射部の方が該着色層が薄く、透過部と反射部の間で生じた該着色層の段差を埋めるように前記透明層が反射部に形成されている。
【００１２】
好ましくは、前記透明層はその厚みを調整して該反射部の光学濃度を調整する。一態様では、前記透明層は該前側基板の内面に形成された透明樹脂膜からなり、前記着色層は該透明樹脂膜に重ねて形成された着色膜からなる。他の態様では、前記透明層は該前側基板の透明な内面を選択的にエッチングして形成されたものであり、前記着色層は該エッチングされた内面に形成された着色膜である。好ましくは、前記電気光学層は複屈折性を有する液晶層からなり、その厚みは透過部が反射部の二倍に設定されている。好ましくは、前記一対の基板の一方には画素間で共通に形成された共通電極があり、前記一対の基板の他方には画素毎に分離した画素電極があり、前記一対の基板の他方には画素電極を駆動する能動素子が形成されている。又前記反射層は画素毎に開口を有しており、各画素を開口内の透過部と開口外の反射部とに平面分割している。
【００１３】
本発明によれば、ハイブリッド型の表示装置において、カラーフィルタを形成する場合、反射部のみに透明層を形成し、その上に着色層を設けている。これにより、透明層が介在する分だけ反射部における着色層の厚みが透過部における厚みより小さくなる。この為、反射部におけるカラーフィルタの吸収が少なくなり、明度が改善され反射率が高くなる。一方、透過部については着色層が十分な厚みを有する為、所望の色純度（光学濃度）を得ることが可能である。透明層の膜厚を最適化することにより、透過型としての色純度を損なうことなく、反射型としての反射率や色純度を所望の値に設計することが可能である。カラーフィルタの着色層自体は画素に合わせてパタニングすればよく、形状不良や画素欠陥などは発生しない。
【００１４】
【発明の実施の形態】
以下図面を参照して本発明の実施の形態を詳細に説明する。図１は、本発明に係るハイブリッド型の表示装置の基本的な構成を示す模式図の一例である。（Ａ）は一画素分の断面構造を表わしている。図示する様に、本表示装置は、互いに対向配置された前後一対の基板１，２で構成されている。一方の基板１の内面には一方の電極１０が形成されており、他方の基板２の内面にも他方の電極１１が形成されている。一方の電極１０と他方の電極１１とが互いに対向する部分に画素が形成される。この画素に整合して前側基板１にカラーフィルタＣＦが設けられている。前後一対の基板１，２の間には電気光学層として例えば液晶層３が保持されている。この液晶層３は例えばゲストホスト液晶からなり、電極１０，１１間に印加される電圧に応答して、入射光を画素毎に遮断／通過させる。尚、本発明は液晶に限られるものではなく他の電気光学物質を用いることができる。又、ゲストホスト液晶に限られるものではなく他のモードの液晶を用いることも可能である。後側基板２には反射層８が設けられている。この反射層８は画素毎に開口を有しており、各画素を開口内の透過部Ｔと開口外の反射部Ｒとに平面分割している。本例では、反射層８は基板２の凹凸面の上に形成された金属膜からなり、前述した電極１１を兼ねている。又、透過部ＴにはＩＴＯなどの透明導電膜が形成されており、前述した開口を構成するとともに電極１１を兼ねている。以上の説明から明らかな様に、本例では、基板２に形成された電極１１は反射部Ｒに設けた金属膜と透過部Ｔに設けた透明導電膜のハイブリッド構成となっている。
【００１５】
本発明の特徴事項として、カラーフィルタＣＦは着色層５０と透明層５１の積層からなる。着色層５０は透過部Ｔより反射部Ｒの方が薄く形成されている。透明層５１は透過部Ｔと反射部Ｒの間で生じた着色層５０の段差を埋める様に形成されている。具体的には、透明層５１は前側基板１の内面に形成された透明樹脂膜からなり、着色層５０は透明樹脂膜に重ねて形成された着色膜からなる。透明層５１はその厚みを最適に設定して着色層５０の光学濃度を透過部Ｔと反射部Ｒとの間で調整する。以上の様に、本発明では、ハイブリッド型の表示装置において、反射部Ｒのみアクリル樹脂などの透明樹脂膜をフォトリソグラフィなどの手法により選択的に形成し、その上に着色層５０を積層している。透過部Ｔについては、通常の様に十分な厚みを有するカラーフィルタＣＦを入射光（バックライト）が一回通過することにより、所望の色再現性が得られる。反射部Ｒについては、透明樹脂膜の介在により光学濃度の下がったカラーフィルタＣＦを入射光（外光）が往復で二回通過することにより、所望の色再現性が得られる。この際、反射部Ｒにおける着色層５０の厚みが薄くなっている為、外光はカラーフィルタＣＦを二回通過しても過度の吸収を受けることはなく、高い反射率を維持でき、画面の明るさを実用レベルに維持可能である。透明層５１の膜厚調整により、透過型表示としての色純度を損なうことなく、自在に反射型表示としての反射率、色純度、明度の調整が可能となる為、透過部Ｔと反射部Ｒで各々最適な光学濃度を設計することができる。
【００１６】
（Ｂ）は、本表示装置の平面形状を示す模式図である。図示する様に、各画素ＰＸＬはブラックマトリクスＢＭにより格子状に分かれている。各画素ＰＸＬは中央の透過部Ｔと周辺の反射部Ｒに平面分割されており、所謂ハイブリッド構成となっている。カラーフィルタはブラックマトリクスＢＭによって区画された画素ＰＸＬとほぼ対応する様にパタニングされている。従来の様にカラーフィルタを異形にパタニングする必要がない為、色抜け欠陥として観察者に認識されることがない。又、カラーフィルタをフォトリソグラフィ及びエッチングでパタニングする際にも形状不良が生じにくい。
【００１７】
図２は、図１に示したカラーフィルタの変形例を示す模式的な断面図である。カラーフィルタＣＦは画素毎に別々に着色されて基板１に形成される。カラーフィルタＣＦは各画素内で光が一回のみ通過する透過光用領域ｔと一回通過した光が反射して戻り往復で二回通過する反射光用領域ｒとに平面分割されている。カラーフィルタＣＦは着色層５０と透明層５１を重ねた積層構造を有する。本例では、透明層５１は基板１の透明な一面を選択的にエッチングして形成されたものであり、着色層５０はエッチングされた基板１の一面に形成された着色膜となっている。例えば、基板１はガラスからなり、フッ酸を用いて透過光用領域ｔを選択的にエッチングすることで、反射光用領域ｒに透明層５１を形成することができる。
【００１８】
図３は、本発明に係る表示装置の実施例を示す模式的な部分断面図であり、一画素分のみを表わしている。本実施例はアクティブマトリクス型であり、且つＥＣＢ（Ｅｌｅｃｔｒｉｃａｌｌｙ  Ｃｏｎｔｒｏｌｌｅｄ  Ｂｉｒｅｆｒｉｇｅｎｃｅ）モードの液晶パネルを用いている。即ち、液晶の複屈折性を利用して入射光の通過／遮断を制御する方式である。尚、アクティブマトリクス型の画素を駆動する能動素子として薄膜トランジスタを用いている。
【００１９】
図示する様に、前側基板１の外表面には偏光板４０と四分の一波長板９が貼り付けられている。基板１の内表面には本発明に従って着色層５０及び透明層５１を重ねたカラーフィルタＣＦが形成されている。カラーフィルタＣＦを画素毎に区切る様にブラックマトリクスＢＭが同じく基板１の内面に形成されている。カラーフィルタＣＦ及びブラックマトリクスＢＭの表面には各画素に亘って共通に形成された共通電極１０が配されている。その上には配向膜１０７が成膜されている。更に、複屈折性を有する液晶層３が介在しており、その下に後側の基板２が配されている。基板２の表面は配向膜１１５によって覆われており、前側基板１の配向膜１０７と協働して液晶層３を例えば水平配向している。図示の様に、液晶層３の厚みは透過部の寸法Ｔｄが反射部の寸法Ｒｄの二倍に設定されている。具体的には、Ｔｄは入射光の波長の二分の一に相当し、Ｒｄは同じく入射光の波長の四分の一に相当する。配向膜１１５の下には画素電極１１が形成されている。この画素電極１１はＩＴＯなどの透明導電膜からなり、透過部の開口を形成している。この透明電極１１と一部重なる様に絶縁膜１１４を介して反射層８が形成されている。反射層８は絶縁膜１１４の凹凸面に形成された金属膜からなり前述した画素電極１１と同電位に接続されている。従って、反射層８も画素電極の一部を構成する。画素電極１１の下には薄膜トランジスタ１０８が形成されている。この薄膜トランジスタ１０８はボトムゲート構造を有しており、下から順にゲート電極１１６、ゲート絶縁膜１１７、半導体薄膜１１８を重ねた積層構造を有している。半導体薄膜１１８は例えば多結晶シリコンからなり、ゲート電極１１６と整合するチャネル領域は上側からストッパ１１９により保護されている。係る構成を有するボトムゲート構造の薄膜トランジスタ１０８は層間絶縁膜１２０により被覆されている。層間絶縁膜１２０には一対のコンタクトホールが開口しており、これらを介しソース電極１２１及びドレイン電極１２２が薄膜トランジスタ１０８に電気接続している。これらの電極１２１及び１２２は例えばアルミニウムをパタニングしたものである。ドレイン電極１２２には前述した画素電極１１が接続している。又、絶縁膜１１４に形成したコンタクトホール１１２を介して反射層８もドレイン電極１２２に電気接続している。一方、ソース電極１２１には信号電圧が供給される。最後に、後側基板２の裏面には四分の一波長板１９と偏光板４１が貼り付けられている。
【００２０】
図４は、図３に示した表示装置の動作を模式的に表わした説明図であり、特に反射部の構造を表わしている。右側が印加電圧のオフ状態を表わし光は通過する一方、左側が印加電圧のオン状態を表わし光は遮断される。この反射型表示装置は上から順に、偏光板４０、四分の一波長板９、前側基板１、カラーフィルタＣＦ、共通電極１０、複屈折性を有する液晶層３、画素電極を兼ねた反射層８、後側基板２が重ねられている。オフ状態では液晶分子４は水平配向しており液晶層３は四分の一波長板として機能する。オン状態では液晶分子４は垂直配向に移行し液晶層３は四分の一波長板としての機能はなくなる。換言すると、オフ状態では四分の一波長板として機能する液晶層３と四分の一波長板９が重なっており、全体として二分の一波長板として機能する。反射型の場合入射光はパネルを往復して出射するので結局パネルは一波長板として機能する。一波長板は結局入射光をそのまま出射光として透過することになり、偏光板４０を透過した入射直線偏光はそのまま出射直線偏光となって観察者に至り、光の通過状態が得られる。一方、オン状態では液晶層３が四分の一波長板としての機能を失なう為、四分の一波長板９のみが残ることになる。反射型では入射光が四分の一波長板９を往復するので、パネルは結局二分の一波長板として機能する。二分の一波長板は入射直線偏光を９０°回転して出射直線偏光とする。従って、偏光板４０を透過した入射直線偏光は９０°回転して出射直線偏光となり、偏光板４０によって吸収される。従って光の遮断状態が得られる。尚、透過部の動作も上述した反射部と同様である。透過部は丁度反射層８を境にしてその上の部分と鏡面の関係になる部分を反射層８の下に設けた構造となっている。即ち、液晶層３の厚みが二倍となり、後側基板２の裏面に四分の一波長板１９及び偏光板４１（図３を参照）が追加された構造となる。そして、カラーフィルタＣＦの厚みも透過部に比べ二倍となる（図３参照）。
【００２１】
【発明の効果】
以上説明したように、本発明によれば、ハイブリッド型の表示装置において、色純度の高い透過部と反射率の高い反射部を両立可能である。又、画素内でカラーフィルタを異形にパタニングする必要がない為、色抜け欠陥として観察者に認識されることがない。合わせて、カラーフィルタをフォトリソグラフィでパタニングする場合に形状不良を生じにくい。
【図面の簡単な説明】
【図１】本発明に係る表示装置の基本的な構成を示す模式的な断面図及び平面図である。
【図２】本発明に係るカラーフィルタの一例を示す断面図である。
【図３】本発明に係る表示装置の実施例を示す部分断面図である。
【図４】図３に示した表示装置の動作説明に供する模式図である。
【図５】従来の表示装置の一例を示す模式図である。
【符号の説明】
１・・・前側基板、２・・・後側基板、３・・・液晶層、８・・・反射層、１０・・・電極、１１・・・電極、５０・・・着色層、５１・・・透明層、ＣＦ・・・カラーフィルタ、Ｒ・・・反射部、Ｔ・・・透過部、Ｈ・・・開口、ＰＸＬ・・・画素、ＢＭ・・・ブラックマトリクス
【図１】
0004196505.tif 000002
【図２】
0004196505.tif 000003
【図３】
0004196505.tif 000004
【図４】
0004196505.tif 000005
【図５】
0004196505.tif 000006